(57)【要約】【課題】角型の電池と円筒型の電池とを択一的に収納することができる、省スペースな電池収納ケースを提供する。【解決手段】角型リチウムイオン電池ＢＡ１および単３型乾電池ＢＡ２のうちのいずれかを選択的に収納可能な電池収納部２２Ｄに、角型リチウムイオン電池ＢＡ１が装着される共用凹部Ｔ１と、共用凹部Ｔ１に単３型乾電池ＢＡ２が配置可能なように共用凹部Ｔ１の側面Ｔ１ｂに形成され、単３型乾電池ＢＡ２の一方の端部が嵌め込まれる端部嵌込み用凹部Ｔ２と、共用凹部Ｔ１の底面Ｔ１ｃの一部に形成された調整部材退避空間Ｔ３と、からなる電池収納空間Ｓと、共用凹部Ｔ１に配置される単３型乾電池ＢＡ２と側面Ｔ１ａとの間に配置されかつ調整部材退避空間Ｔ３に移動して収納することができる調整部材２４と、を設ける。【選択図】図３
2005079074.tif 000002
【特許請求の範囲】
【請求項１】
１つまたは複数の円筒状の第二の電池および前記第二の電池の直径方向の外形寸法よりも大きい幅寸法を有する直方体状の第一の電池のうちのいずれかを選択的に収納可能な電池収納装置であって、
前記第一の電池が装着される第一の凹部と、前記第一の凹部に前記第二の電池が配置可能なように前記第一の凹部の１つの側面に形成され、前記第二の電池の一方の端部が嵌め込まれる第二の凹部と、前記第一の凹部の底面の一部に形成された第三の凹部と、からなる電池収納空間と、
前記第一の凹部に配置される前記第二の電池と前記第二の凹部が形成された前記第一の凹部の側面に対向する側面との間に配置されかつ前記第三の凹部に移動して収納することの可能な調整部材と、
を有してなることを特徴とする電池収納装置。
【請求項２】
前記調整部材は、軸棒によって前記第三の凹部の両側面に取り付けられており、当該軸棒を軸として前記第一の凹部と前記第三の凹部との間を回動する、
請求項１記載の電池収納装置。
【請求項３】
前記第一の電池は正極および負極の両方の端子を一つの端面に有し、前記第二の電池は正極の端子を一方の端面に有し負極の端子をもう一方の端面に有しており、
前記第二の凹部の底面には、前記第二の電池の一方の電極と接触するための端子が設けられており、
前記第一の凹部の、前記第二の凹部が形成された側面の向かい側の側面には、前記第二の電池のもう一方の電極と接触するための端子が設けられており、
前記第一の凹部に配置された状態の、前記調整部材の前記第二の凹部の底面と向かい合う側面には、前記第一の電池の両電極の端子と接触するための端子が設けられている、
請求項１または請求項２記載の電池収納装置。
【請求項４】
前記第二の電池の直径方向の外形寸法は、前記第一の電池の厚さ方向の外形寸法よりも大きく、
前記第一の凹部の底面には、前記第二の電池を嵌め込むための断面弧型の溝が設けられている、
請求項１ないし請求項３のいずれかに記載の電池収納装置。
【発明の詳細な説明】
【技術分野】
【０００１】
本発明は、２種類の電池を選択的に収納する電池収納装置に関する。
【背景技術】
【０００２】
近年、電池で動作する多種多様な小型の装置が製品化されているが、これら小型の装置に用いられる電池は、装置の消費電力および使用目的などに応じて様々である。
【０００３】
例えば、電化製品のリモコン装置または目覚し時計などは、消費電力が非常に小さいので、広く一般に販売されている単３型や単４型などの規格化された円筒状（円柱状）の乾電池が用いられる。
【０００４】
一方、消費電力が大きい装置の場合は、充電式の二次電池（充電池）が用いられることが多い。携帯電話端末などのように、サイズが小さく薄いことが要求される装置の場合は、特許文献１に記載されるような角型の充電池がしばしば用いられる。また、ヘッドフォンステレオのように市販の円筒型の乾電池と充電池とを選択的に使用できることが要求される装置の場合は、充電池として、その乾電池と同じ形状およびサイズのものが用いられる。特に、単３型の乾電池および充電池がよく用いられる。
【０００５】
しかし、円筒型の充電池を使用可能とした場合に、その充電のための機能を装置に設けると、装置は大きくかつ重くなってしまう。過充電などの危険を防止するための安全保護回路を装置に組み込む必要があるからである。
【０００６】
そこで、充電池として、円筒型のものではなく、安全保護回路が内蔵された角型のものを用いることとし、その角型の充電池と円筒型の乾電池とを選択的に使用可能なように構成することが考えられるが、その場合は、両者の形状の差異を吸収するための専用の電池収納用のホルダーなどが必要となる。このような電池ホルダーはサイズが大きいので、装置全体のサイズも大きくなってしまう。
【特許文献１】特開２００３−１７８７３１号公報
【発明の開示】
【発明が解決しようとする課題】
【０００７】
本発明は、上記のような問題点に鑑み、角型の電池と円筒型の電池とを択一的に収納して使用することができる、省スペースな電池収納装置を提供することを目的とする。
【課題を解決するための手段】
【０００８】
本発明に係る電池収納装置は、１つまたは複数の円筒状の第二の電池および前記第二の電池の直径方向の外形寸法よりも大きい幅寸法を有する直方体状の第一の電池のうちのいずれかを選択的に収納可能な電池収納装置であって、前記第一の電池が装着される第一の凹部と、前記第一の凹部に前記第二の電池が配置可能なように前記第一の凹部の１つの側面に形成され、前記第二の電池の一方の端部が嵌め込まれる第二の凹部と、前記第一の凹部の底面の一部に形成された第三の凹部と、からなる電池収納空間と、前記第一の凹部に配置される前記第二の電池と前記第二の凹部が形成された前記第一の凹部の側面に対向する側面との間に配置されかつ前記第三の凹部に移動して収納することの可能な調整部材と、を有してなることを特徴とする。
【０００９】
好ましくは、前記調整部材は、軸棒によって前記第三の凹部の両側面に取り付けられており、当該軸棒を軸として前記第一の凹部と前記第三の凹部との間を回動する。
【００１０】
または、前記第一の電池は正極および負極の両方の端子を一つの端面に有し、前記第二の電池は正極の端子を一方の端面に有し負極の端子をもう一方の端面に有しており、前記第二の凹部の底面には、前記第二の電池の一方の電極と接触するための端子が設けられており、前記第一の凹部の、前記第二の凹部が形成された側面の向かい側の側面には、前記第二の電池のもう一方の電極と接触するための端子が設けられており、前記第一の凹部に配置された状態の、前記調整部材の前記第二の凹部の底面と向かい合う側面には、前記第一の電池の両電極の端子と接触するための端子が設けられている。
【００１１】
または、前記第二の電池の直径方向の外形寸法は、前記第一の電池の厚さ方向の外形寸法よりも大きく、前記第一の凹部の底面には、前記第二の電池を嵌め込むための断面弧型の溝が設けられている。
【発明の効果】
【００１２】
本発明によると、従来のような専用の電池収納用のホルダーを用いることなく、角型の電池と円筒型の電池とを択一的に、かつ、小さなスペースで収納して使用することができる。
【発明を実施するための最良の形態】
【００１３】
図１はハンドスキャナ１の全体の構成の例を示す図、図２は角型リチウムイオン電池ＢＡ１と単３型乾電池ＢＡ２とを比較して示す図、図３はハンドスキャナ１の電池収納部２２Ｄ付近の要部を示す右側面断面図、図４はハンドスキャナ１の電池収納部２２Ｄ付近における底面断面図、図５はハンドスキャナ１の電池蓋２３を外した状態の電池収納部２２Ｄ付近の要部を示す背面図、図６はハンドスキャナ１に角型リチウムイオン電池ＢＡ１を収納した状態を示す図、図７はハンドスキャナ１に単３型乾電池ＢＡ２を収納した状態を示す図である。
【００１４】
なお、図１（ａ）（ｂ）（ｃ）（ｄ）は、それぞれ、ハンドスキャナ１の正面図、右側面断面図、電池蓋２３を外した状態の背面図、および底面図である。ハンドスキャナ１の内部構造は図１（ｂ）によく示されている。
【００１５】
ハンドスキャナ１は、携帯型すなわちハンディタイプのスキャナ装置であって、例えばバーコードまたは文字の読取りなどのために用いられる。このハンドスキャナ１は、図１に示すように、ケーシング２、メイン基板３、電源補助回路４、端子群５、センサ６、および表示装置７などによって構成される。
【００１６】
センサ６は、読取り対象に対して赤外線などを照射し、その反射光を受光することによって、読取り対象に描かれているバーコードまたは文字などを検出する。表示装置７には、読み取られたバーコードまたは文字、「スタンバイＯＫ」または「読取り完了」などオペレータに対するメッセージ、または、操作モードを設定しまたは確認するための操作画面などが表示される。
【００１７】
メイン基板３には、センサ６、表示装置７、および電源補助回路４などの制御の処理、およびセンサ６によって検出されたバーコードまたは文字の認識の処理などを実行するためのＣＰＵ、ＲＡＭ、ＲＯＭ、および処理回路などが設けられている。
【００１８】
電源補助回路４は、電池収納部２２Ｄに収納（セット）されている電池から得られる電力をメイン基板３、センサ６、および表示装置７などに供給する。なお、電源補助回路４はメイン基板３の一部などを含んで構成される。また、図示しないＡＣアダプタを介して外部の電源ラインに接続することにより、電源補助回路４によって電池収納部２２Ｄにセットされている充電式の電池の充電を行うことが可能である。本実施形態のハンドスキャナ１は、図２に示すような１つの充電式の角型リチウムイオン電池ＢＡ１または直列接続される２本組の単３型乾電池ＢＡ２のいずれか一方を選択的に収納して使用することができる。角型リチウムイオン電池ＢＡ１の電圧は、およそ３．７Ｖである。単３型乾電池ＢＡ２の電圧は１本当たり１．５Ｖであるが、２本を直列接続するのでおよそ３．０Ｖの電圧が得られる。
【００１９】
図２（ａ）は角型リチウムイオン電池ＢＡ１の背面ＢＡ１ｂおよび単３型乾電池ＢＡ２の側面ＢＡ２ｂのそれぞれの形状および大きさの比較を示し、図２（ｂ）は角型リチウムイオン電池ＢＡ１の上面ＢＡ１ａおよび単３型乾電池ＢＡ２の電極のある端面ＢＡ２ａ、ＢＡ２ｃのそれぞれの形状および大きさの比較を示している。
【００２０】
角型リチウムイオン電池ＢＡ１は、直方体状であり、長さＬ１方向の４つの辺の位置する縁部には丸み（アール）が付けられている。角型リチウムイオン電池ＢＡ１の上面ＢＡ１ａには、正極端子ｔ１１、負極端子ｔ１２、および、内部温度を検出するためのサーミスタ端子ｔ１３が設けられている。
【００２１】
角型リチウムイオン電池ＢＡ１の幅Ｗ１は、単３型乾電池ＢＡ２の幅（直径Ｄ２）よりも２倍以上大きく、２本の単３型乾電池ＢＡ２を電池収納部２２Ｄに収納したとき（図７参照）の幅Ｗ２よりもやや大きい。角型リチウムイオン電池ＢＡ１の厚さＨ１は、単３型乾電池ＢＡ２の厚さ（直径Ｄ２）よりも薄い。角型リチウムイオン電池ＢＡ１の長さＬ１と単３型乾電池ＢＡ２の長さＬ２とは、ほぼ同じであるか、またはいずれか一方がやや長い。
【００２２】
図１に戻って、ケーシング２は、上ケース２１、下ケース２２、および電池蓋２３によって構成される。上ケース２１、下ケース２２、および電池蓋２３は、適当な合成樹脂、例えばＡＢＳ樹脂などを射出成形することにより製造される。上ケース２１および下ケース２２は、メイン基板３などを組み込んだ後で、それぞれの縁部が互いにつき合わされ、図示しないネジなどによって連結されて固定される。
【００２３】
下ケース２２には、上記の２種類の電池のいずれか一方を選択的に収納（セット）するための電池収納空間Ｓを有する電池収納部２２Ｄが設けられている。電池蓋２３は、電池収納部２２Ｄの開口部を閉じるように着脱可能に設けられる。なお、防滴構造とする場合など、必要に応じて、下ケース２２の表面における電池収納部２２Ｄの開口部の周辺に、電池蓋２３との間でシールを行うためのパッキンが設けられる。
【００２４】
図３および図４に示すように、電池蓋２３として、２種類の電池蓋２３Ａ、２３Ｂが用意されている。角型リチウムイオン電池ＢＡ１をセットしたときには電池蓋２３Ａが用いられ、単３型乾電池ＢＡ２をセットしたときには電池蓋２３Ｂが用いられる。電池蓋２３Ｂの裏側の数箇所には、補助部材２３１が設けられている。すなわち、図４に示すように、各補助部材２３１には、半径が単３型乾電池ＢＡ２の半径よりもやや大きい弧形の縁部を有した２つの電池保持部２３１ａが設けられており、これによって電池収納部２２Ｄにセットした２本の単３型乾電池ＢＡ２ががたつかないように保持される。
【００２５】
端子群５は、図５に示すように、角型リチウムイオン電池ＢＡ１または単３型乾電池ＢＡ２の電極と接触することにより、電源補助回路４またはメイン基板３の回路に電気的に接続するためのものである。端子群５は、角型リチウムイオン電池ＢＡ１用の端子５１ａ〜５１ｃ、および、単３型乾電池ＢＡ２用の端子５２ａ〜５２ｄからなる。
【００２６】
端子５１ａ〜５１ｃは、図３（ａ）によく示されるように、メイン基板３の表面のプリント回路に直接的に半田付けされて固定されている。端子５２ａ〜５２ｂは適当な可撓性を有する電線によって電源補助回路４などに接続され、端子５２ｃ〜５２ｄは適当な電線によってまたは直接的に電源補助回路４などに接続される。このように端子群５が電源補助回路４などに接続されていることにより、角型リチウムイオン電池ＢＡ１または単３型乾電池ＢＡ２から電力が得られ、または角型リチウムイオン電池ＢＡ１への充電が行えるようになっている。
【００２７】
次に、電池収納部２２Ｄについて説明する。
【００２８】
図３〜図５に示すように、電池収納部２２Ｄは、下ケース２２の一部と電池蓋２３とにより囲まれた電池収納空間Ｓを有する。電池収納空間Ｓは、共用凹部Ｔ１、端部嵌込み用凹部Ｔ２、調整部材退避用凹部Ｔ３、および弧型電池溝Ｔ４の４つの空間によって構成される。
【００２９】
共用凹部Ｔ１は、角型リチウムイオン電池ＢＡ１が装着される空間である。端部嵌込み用凹部Ｔ２は、共用凹部Ｔ１に単３型乾電池ＢＡ２が配置可能なように、共用凹部Ｔ１における図の下側の側面Ｔ１ｂに形成された空間である。つまり、端部嵌込み用凹部Ｔ２には、単３型乾電池ＢＡ２の一方の端部が嵌め込まれる。調整部材退避用凹部Ｔ３は、共用凹部Ｔ１の底面Ｔ１ｃにおける図の上側の一部に形成された空間である。調整部材退避用凹部Ｔ３は、後述する調整部材２４を退避させたときにそれを収納するための空間である。弧型電池溝Ｔ４は、単３型乾電池ＢＡ２の半分程度を装着するための断面弧形の溝からなる空間である。つまり、単３型乾電池ＢＡ２は、共用凹部Ｔ１と弧型電池溝Ｔ４とにより形成される空間内に装着される。
【００３０】
電池収納空間Ｓについて更に詳しく説明する。
【００３１】
共用凹部Ｔ１は、角型リチウムイオン電池ＢＡ１がちょうどぴったりと収まるくらいの形状およびサイズであって、電池蓋２３の近傍に位置して設けられる。上に述べたように、共用凹部Ｔ１には、角型リチウムイオン電池ＢＡ１が収められるだけでなく、単３型乾電池ＢＡ２の一部分も収められる。つまり、共用凹部Ｔ１は、角型リチウムイオン電池ＢＡ１および単３型乾電池ＢＡ２の共用空間（共用スペース）であると言える。
【００３２】
共用凹部Ｔ１の上方の側面Ｔ１ａには、角型リチウムイオン電池ＢＡ１の正極端子ｔ１１、負極端子ｔ１２、およびサーミスタ端子ｔ１３（図２参照）とそれぞれ接触するための、上に述べた３つの端子５１ａ、５１ｂ、５１ｃが設けられている。
【００３３】
端部嵌込み用凹部Ｔ２は、２本の単３型乾電池ＢＡ２の端部を嵌め込むことが可能なように、図２に示す幅Ｗ２以上の大きさの幅寸法を有している。しかも、端部嵌込み用凹部Ｔ２に角型リチウムイオン電池ＢＡ１を嵌め込むことができないように、図２に示す幅Ｗ１未満の大きさの幅寸法を有している。したがって、角型リチウムイオン電池ＢＡ１を共用凹部Ｔ１に装着したときには、角型リチウムイオン電池ＢＡ１の下方の面が共用凹部Ｔ１の側面Ｔ１ｂの両側に当接し、これによって位置決めがなされる。
【００３４】
端部嵌込み用凹部Ｔ２の深さ、つまり図３における上下方向の長さ寸法は、図３（ｂ）における調整部材２４の側面２４ａから端部嵌込み用凹部Ｔ２までの距離および単３型乾電池ＢＡ２の長さＬ１に基づいて決められる。すなわち、調整部材２４の側面２４ａと端部嵌込み用凹部Ｔ２の底面Ｔ２ｃとの間の距離は、単３型乾電池ＢＡ２の長さＬ２（図２参照）とほぼ同じに設定されている。
【００３５】
端部嵌込み用凹部Ｔ２の底面Ｔ２ｃに、一方の単３型乾電池ＢＡ２の負極端子ｔ２２およびもう一方の単３型乾電池ＢＡ２の正極端子ｔ２１とそれぞれ接触するための上に述べた端子５２ｃ、５２ｄが設けられている。
【００３６】
なお、端部嵌込み用凹部Ｔ２の、電池蓋２３側の側面Ｔ２ｂは開放されている。
【００３７】
調整部材退避用凹部Ｔ３は、共用凹部Ｔ１の底面Ｔ１ｃのうちの調整部材２４が配置された側に設けられており、角型リチウムイオン電池ＢＡ１をセットする際に、図３（ａ）および図４（ａ）に示すように、調整部材２４を共用凹部Ｔ１から退避させるための空間である。調整部材退避用凹部Ｔ３の底面Ｔ３ｂには、バネ部材である上に述べた端子５２ｂを収納するための孔Ｔ３１が設けられている。
【００３８】
弧型電池溝Ｔ４は、共用凹部Ｔ１の底面Ｔ１ｃに、端部嵌込み用凹部Ｔ２の底面Ｔ２ｃからハンドスキャナ１の上面の方向に沿って延びるように設けられ、かつ、その方向と直角の方向に並んで２ヶ所設けられている。
【００３９】
図３（ｂ）に示されるように、共用凹部Ｔ１における図の上側の側面Ｔ１ａに近い位置に、上に述べた調整部材２４が、両側に突出した軸棒２４Ｊを軸として回動可能に取り付けられている。なお、図３において、調整部材２４はその形状を分かりやすく示すために断面していない。
【００４０】
調整部材２４は、合成樹脂の成型によって全体的に直方体状に形成されている。図３および図５（ａ）に示されるように、調整部材２４の長手方向の両側の側面には、薄板状のバネ板部２４ｂ、２４ｃが形成されている。バネ板部２４ｂ、２４ｃは、調整部材２４の本体部分と一端において連結され、弾性的に可撓性を有する。バネ板部２４ｂ、２４ｃの先端部の外側面に、上に述べた軸棒２４Ｊが突出するように形成されている。バネ板部２４ｂ、２４ｃは、自由状態では調整部材２４の側面から外側に拡がった状態であり、２本の指でバネ板部２４ｂ、２４ｃを内側へ押さえた状態で、調整部材退避用凹部Ｔ３の両側面間に挿入し、その両側面間に設けられた穴に軸棒２４Ｊを嵌入させる。これによって、調整部材２４が回動可能に取り付けられる。
【００４１】
調整部材２４の側面２４ａには、上に述べたように、一方の単３型乾電池ＢＡ２の正極端子ｔ２１およびもう一方の単３型乾電池ＢＡ２の負極端子ｔ２２とそれぞれ接触するための２つの端子５２ａ、５２ｂが設けられている。
【００４２】
図３（ｂ）に示す状態において、電池収納部２２Ｄに単３型乾電池ＢＡ２がセットされたときには、調整部材２４は、その単３型乾電池ＢＡ２と共用凹部Ｔ１の側面Ｔ１ａとの間に配置されることとなる。角型リチウムイオン電池ＢＡ１をセットする場合には、図３（ａ）に示すように、調整部材２４を回動させて調整部材退避用凹部Ｔ３内に退避させる。
【００４３】
次に、角型リチウムイオン電池ＢＡ１または単３型乾電池ＢＡ２をハンドスキャナ１にセットする手順について説明する。
【００４４】
図６（ａ）はハンドスキャナ１に角型リチウムイオン電池ＢＡ１を収納した状態を示す背面図、図６（ｂ）はそのときの右側面断面図、図６（ｃ）はそのときの底面断面図である。図７（ａ）はハンドスキャナ１に単３型乾電池ＢＡ２を収納した状態を示す背面図、図７（ｂ）はそのときの右側面断面、図７（ｃ）はそのときの底面断面図である。なお、図６（ａ）および図７（ａ）においては電池蓋２３を取り外した状態が示されている。
【００４５】
角型リチウムイオン電池ＢＡ１をセットする場合は、電池蓋２３を取り外し、図３（ａ）および図４（ａ）に示すように、調整部材２４を回動させて共用凹部Ｔ１から調整部材退避用凹部Ｔ３に退避させる。図６に示すように、正極端子ｔ１１、負極端子ｔ１２、およびサーミスタ端子ｔ１３が、それぞれ端子５１ａ、５１ｂ、および５１ｃと接触するように、角型リチウムイオン電池ＢＡ１を電池収納部２２Ｄに嵌め込んで収納する。そして、電池蓋２３Ａによって電池収納部２２Ｄを閉じる。
【００４６】
単３型乾電池ＢＡ２をセットする場合は、電池蓋２３を取り外し、図３（ｂ）および図４（ｂ）に示すように、調整部材２４を、側面２４ａが端子５２ｃ、５２ｄと向き合う位置まで回動させる。単３型乾電池ＢＡ２の極性を確かめて図７に示すように電池収納部２２Ｄに嵌め込んで収納する。そして、電池蓋２３Ｂによって電池収納部２２Ｄを閉じる。      
【００４７】
本実施形態によると、角型の電池を収納する空間と円筒型の電池を収納する空間との共用部分を設け、かつ、調整部材２４を使用位置と退避位置との間で回動可能なように構成することによって、少ないスペースで２種類の電池を選択的に確実にかつ容易に収納して使用することができる。よって、ハンドスキャナ１を小型化することができる。
【００４８】
しかも、電池収納部２２Ｄが回動するのにともなって端子５２ａ、５２ｂが共用凹部Ｔ１から退避するので、角型リチウムイオン電池ＢＡ１などがこれらの端子に不測に接触することが防止される。
【００４９】
また、調整部材２４は、電池収納部２２Ｄすなわち装置の本体に回動可能に取り付けられているので、角型リチウムイオン電池ＢＡ１を使用する場合にも調整部材２４を取り外す必要がなく、したがって調整部材２４を紛失してしまうおそれがない。
【００５０】
本実施形態では、収納する電池によって電池蓋２３を使い分けたが、１つの電池蓋２３を共用できるようにしてもよい。例えば、撓んだり縮んだりすることの可能な補助部材（例えば、スポンジ）を電池蓋２３の裏面に設け、その補助部材の弾性力または復元力によって電池を保持するようにしてもよい。
【００５１】
本実施形態において、調整部材２４は全体として直方体状に形成されているが、その構造については種々のものを採用することができる。例えば、表面が平面状で中空部を有するもの、表面にリブなど露出しているもの、枠状に形成されているもの、またはこれらの組み合わせなど、種々の構造を採用できる。また、直方体状ではなく、多角柱状、台形状などの種々の形状もとり得る。また、バネ板部２４ｂ、２４ｃおよび軸棒２４Ｊについても、上に述べた以外の種々の構造、形状、寸法、製造方法などを採用することが可能である。
【００５２】
その他、ハンドスキャナ１または電池収納部２２Ｄの全体または各部の構成、収納する電池の形状、寸法、個数、電極の位置、またはハンドスキャナ１における電池収納部２２Ｄの位置などは、本発明の趣旨に沿って適宜変更することができる。
【００５３】
本実施形態の電池収納部２２Ｄは、ハンドスキャナ１以外の装置にも適用することができる。例えば、ヘッドフォンステレオ、電話機またはその子機、ラジコンカー、無線機、またはビデオカメラなどの種々の装置に適用することができる。
【産業上の利用可能性】
【００５４】
本発明は、特に、定格の乾電池およびメーカ独自の規格の角型の充電池の両方を使用する装置の小型化を図るために有用である。
【図面の簡単な説明】
【００５５】
【図１】ハンドスキャナの全体の構成の例を示す図である。
【図２】角型リチウムイオン電池と単３型乾電池とを比較して示す図である。
【図３】ハンドスキャナの電池収納部付近の要部を示す右側面断面図である。
【図４】ハンドスキャナの電池収納部付近における底面断面図である。
【図５】電池蓋を外した状態の電池収納部付近の要部を示す背面図である。
【図６】角型リチウムイオン電池を収納した状態を示す図である。
【図７】単３型乾電池を収納した状態を示す図である。
【符号の説明】
【００５６】
２２Ｄ  電池収納部（電池収納装置）
２４Ｊ  軸棒
５１ａ、５１ｂ、５１ｃ  端子
５２ａ、５２ｂ、５２ｃ、５２ｄ  端子
ＢＡ１  角型リチウムイオン電池（第一の電池）
ＢＡ２  単３型乾電池（第二の電池）
Ｓ  電池収納空間
Ｔ１  共用凹部（第一の凹部）
Ｔ２  端部嵌込み用凹部（第二の凹部）
Ｔ３  調整部材退避用凹部（第三の凹部）
Ｔ４  弧型電池溝（溝）
【図１】
2005079074.tif 000003
【図２】
2005079074.tif 000004
【図３】
2005079074.tif 000005
【図４】
2005079074.tif 000006
【図５】
2005079074.tif 000007
【図６】
2005079074.tif 000008
【図７】
2005079074.tif 000009